(57)【要約】      （修正有）【課題】指標を低照明状態、特に水面下で照明可能なだけでなく、簡単に使用でき、燐光性要素の事前の蓄光、又は電気エネルギー源の交換若しくは人手による充電の必要がない腕時計を提供する。【解決手段】ケース中間部を備えた腕時計ケースを含む腕時計１に関し、ケース中間部は、少なくとも１つの指標を備え、内部空洞８を画成する要素４を有する。腕時計１は、少なくとも１つの電極対１０ａ、１０ｂ及び該電極対１０ａ、１０ｂに接続し、指標に対向して配設した少なくとも１個の光源装置１２を更に含む。電極対の電極１０ａ、１０ｂは、内部空洞８内に固定され、要素４は、腕時計１を海水１５に浸漬すると、海水１５が内部空洞８を貫通でき、それにより電極対１０ａ、１０ｂと海水１５が、光源装置１２を駆動するための電気化学セルを形成するように、通水可能である。【選択図】図５
2019203887.tif 000002
【特許請求の範囲】
【請求項１】
ケース中間部を備えた腕時計ケース（２）を含む腕時計（１）であり、前記ケース中間部は、少なくとも１つの指標（６）を備え、内部空洞（８）を画成する要素（４）を有する、腕時計（１）であって、
該腕時計（１）は、少なくとも１つの電極対（１０ａ、１０ｂ）及び該電極対（１０ａ、１０ｂ）に接続し、前記指標（６）に対向して配設した少なくとも１個の光源装置（１２）を更に含み、前記電極対の前記電極（１０ａ、１０ｂ）を、前記内部空洞（８）内に固定し、前記要素（４）は、前記腕時計（１）を海水（１５）に浸漬すると、前記海水（１５）が前記内部空洞（８）を貫通でき、それにより前記電極対（１０ａ、１０ｂ）と前記海水（１５）が、前記光源装置（１２）を駆動するための電気化学セルを形成するように、通水可能であることを特徴とする、腕時計（１）。  
【請求項２】
前記要素（４）は、前記ケース中間部周りに回転するように取付けた環状ベゼルであり、該ベゼル（４）は、前記腕時計ケース（２）の外部に繋がる内部空洞（８）を画成することを特徴とする、請求項１に記載の腕時計（１）。
【請求項３】
前記電極対の前記２電極（１０ａ、１０ｂ）は、其々、平坦な形状を有し、前記ベゼル（４）の前記内部空洞（８）内で互いに平行に且つ対向して延在することを特徴とする、請求項２に記載の腕時計（１）。
【請求項４】
前記電極対の前記２電極（１０ａ、１０ｂ）は、其々、平坦な形状を有し、前記ベゼル（４）の前記内部空洞（８）内で同心的に配設され、第１電極（１０ａ）を、第２電極（１０ｂ）を囲む箔で形成することを特徴とする、請求項２に記載の腕時計（１）。
【請求項５】
前記腕時計は、前記電極対の前記２電極（１０ａ、１０ｂ）を分離する及び／又は電気的に隔離するための機械要素（１４）を更に含むことを特徴とする、請求項１から請求項４のいずれかに記載の腕時計（１）。
【請求項６】
前記機械的分離要素（１４）を、織物膜又は高分子膜で形成することを特徴とする、請求項３に従属する場合の請求項５に記載の腕時計（１）。
【請求項７】
前記機械的分離要素（１４）を、イオン透過膜で形成することを特徴とする、請求項４に従属する場合の請求項５に記載の腕時計（１）。
【請求項８】
前記腕時計は、反対極性の幾つかの電極対（１０ａ、１０ｂ）を含み、該電極対（１０ａ、１０ｂ）を、互いに直列接続することを特徴とする、請求項１から請求項７のいずれかに記載の腕時計（１）。
【請求項９】
前記光源装置（１２）は、少なくとも１個の発光ダイオード（１６）を含むことを特徴とする、請求項１から請求項８のいずれかに記載の腕時計（１）。
【請求項１０】
前記発光ダイオード（１６）を、該発光ダイオード（１６）を水から電気的に隔離できる保護樹脂でコーティングすることを特徴とする、請求項９に記載の腕時計（１）。
【請求項１１】
前記発光ダイオード（１６）を、前記指標（６）の下で、前記要素（４）の前記内部空洞（８）内に配設することを特徴とする、請求項９又は請求項１０に記載の腕時計（１）。
【請求項１２】
前記指標（６）を、前記要素（４）に配設した開口で形成し、該開口は、光を取込める窓を備えることを特徴とする、請求項１から請求項１１のいずれかに記載の腕時計（１）。
【請求項１３】
前記窓は、サファイアガラス製であることを特徴とする、請求項１２に記載の腕時計（１）。
【請求項１４】
前記サファイアガラスの自由表面の少なくとも１面を、艶消しにすることを特徴とする、請求項１３に記載の腕時計（１）。
【請求項１５】
前記電極対の第１電極は、亜鉛電極であり、前記電極対の第２電極は、銅電極であることを特徴とする、請求項１から請求項１４のいずれかに記載の腕時計（１）。
【請求項１６】
前記電極対の前記電極（１０ａ、１０ｂ）を、前記電極対（１０ａ、１０ｂ）と前記海水（１５）が、ルクランシェ型電気化学セルを形成するように選択することを特徴とする、請求項１から請求項１４のいずれかに記載の腕時計（１）。
【請求項１７】
前記電極対の陰極（１０ａ）は、箔上に堆積した酸化マンガンを含むことを特徴とする、請求項１６に記載の腕時計（１）。
【請求項１８】
前記電極対の前記電極（１０ａ、１０ｂ）を、前記電極対（１０ａ、１０ｂ）と前記海水（１５）が、金属空気型電気化学セルを形成するように選択することを特徴とする、請求項１から請求項１４のいずれかに記載の腕時計（１）。
【請求項１９】
前記電極対の陽極（１０ｂ）を、アルミニウム、亜鉛及びマグネシウムから成る群から選択する金属材料で形成することを特徴とする、請求項１８に記載の腕時計（１）。
【請求項２０】
前記ベゼル（４）は、回転ベゼルであることを特徴とする、請求項１から請求項１９のいずれかに記載の腕時計（１）。
【請求項２１】
前記腕時計は、複数の指標、其々が一指標と関連する複数の内部空洞、複数の電極対及び複数の光源装置を含むことを特徴とする、請求項１から請求項２０のいずれかに記載の腕時計（１）。
【請求項２２】
前記内部空洞（８）の内壁を、水溶性塩の層でコーティングすることを特徴とする、請求項１から請求項２１のいずれかに記載の腕時計（１）。
【請求項２３】
また、前記腕時計（１）は、外部アクチュエータ及び前記腕時計の文字板と対面して前記腕時計ケース内に配設した更なる光源を含み、前記アクチュエータと前記更なる光源を、前記電極対に電気的に接続することを特徴とする、請求項１から請求項２２のいずれかに記載の腕時計（１）。
【発明の詳細な説明】
【技術分野】
【０００１】
本発明は、ケース中間部を備えた腕時計ケースを含む腕時計であって、該ケース中間部が、少なくとも１つの照明可能な指標を備えた要素を有する、腕時計に関する。
【０００２】
本腕時計は、例えば、ダイバーズウォッチ等、海水に浸漬できるように構成される。
【背景技術】
【０００３】
ケース中間部を備えた腕時計ケースを有する腕時計の分野では、ケース中間部に、少なくとも１つの照明可能な指標を備えた要素を配設することが知られている。ダイバーズウォッチの場合では、該要素は、例えば、回転ベゼルであり、該指標は、ダイバーが自分の海中での浸漬時間を測定するための基準位置を示す。これを達成するために、ダイバーは、指標を分針と位置合せするために、ベゼルを回転させる。その結果、この位置は、経過時間を測定するための基準となる。ダイバーズウォッチの主な効率評価基準の１つは、浸漬段階中の時間及び指標の視認性であるに違いない。
【０００４】
この評価基準を満たすために、既知の解決方法として、ベゼルの指標及び腕時計の針を、燐光性材料でコーティングするものがある。そうすることで、通常、水面下数メートルである低照明状態において、指標及び針が視認可能になる。かかるダイバーズウォッチは、例えば、仏国特許出願第１５７２８３７Ａ号（特許文献１）に記載されている。しかしながら、この解決方法の欠点は、事前に太陽光又は人工の光源で燐光性要素に蓄光し、それにより上記要素が、数時間に限定される持続時間に亘り、減光しながら（燐の種類、量、ダイビング前の蓄光持続時間及び強度）、例えば、水面下といった暗い環境で、発光できるようにする必要がある点である。
【０００５】
また、幾つかの発光指標を備えた文字板を有する腕時計が知られており、文字板上の情報を、白昼だけでなく暗闇でも読取可能である。
【０００６】
かかる腕時計は、例えば、国際特許出願第２０１６１４６３５０Ａ１号（特許文献２）で開示されている。該腕時計は、腕時計ケース、該腕時計ケースに取付けた回転ベゼル、及び幾つかの発光指標を備えた文字板を含む。発光指標を、文字板の下に配置した、セル又は充電式蓄電池等の電気エネルギー源で駆動する光源によって、文字板を通して照明する。光源起動部品を、回転ベゼル内に収容し、腕時計ケース内に収容した検出部品と協働させる。従って、ユーザは、回転ベゼルを枢動させ、該ベゼルを所定位置に移動させることによって光源のスイッチをオンにできるが、該所定位置で、検出部品によって、起動部品の存在を検出し、それに応じて、検出部品が光源のスイッチをオンにする；ここでは、ベゼルは、スイッチのように機能する。しかしながら、電気エネルギー源が消耗すると、電気エネルギー源を交換する、又は人手で再充電しなければならず、ユーザにとって制約がある。
【先行技術文献】
【特許文献】
【０００７】
【特許文献１】仏国特許出願第１５７２８３７Ａ号
【特許文献２】国際特許出願第２０１６１４６３５０Ａ１号
【発明の概要】
【発明が解決しようとする課題】
【０００８】
従って、本発明の目的は、指標を低照明状態、特に水面下で照明可能なだけでなく、簡単に使用でき、燐光性要素の事前の蓄光、又は電気エネルギー源の交換若しくは人手による充電の必要がない、腕時計を提供することである。
【課題を解決するための手段】
【０００９】
そのために、本発明は、独立請求項１で言及する特徴を含む腕時計に関する。
【００１０】
該腕時計の特定の実施形態を、従属請求項２〜２０で規定する。
【００１１】
本発明によるこの腕時計の一利点は、要素の内部空洞内に固定した電極対及び該電極対に接続し、指標に対向して配設した光源装置を使用することにある。要素は、腕時計を海水に浸漬すると、海水が内部空洞を貫通できるように、通水可能である。その結果、電極対と海水は、電気化学セルを形成する。従って、腕時計を浸漬すると、海水が、電極間の空間に浸入し、それにより、そうして形成した電池のスイッチをオンにし、光源装置を駆動する。これにより、電気エネルギー源を交換する又は人手で充電する作業を必要とせずに、水面下で低照明状態にある指標を照明するための特に簡単な解決方法を、提供する。更に、腕時計を浸水するとすぐに、ユーザがいかなる特定のボタン又は制御部材を押圧する必要なく、指標は、照明され、照明状態のままとなる。
【００１２】
本発明の好適な実施形態によると、要素は、ケース中間部周りに回転可能に取付ける環状ベゼルであり、ベゼルは、腕時計ケースの外部に繋がる内部空洞を画成する。好適には、電極対及び光源装置を、ベゼルと同時にケース中間部周りに回転させるために、環状ベゼルと一体化する。
【００１３】
有利には、腕時計は、電極対の２電極を分離するための機械要素を更に含む。これは、電極間のあらゆる物理的接触を防止する。
【００１４】
有利には、腕時計は、反対極性の幾つかの電極対を含み、電極対を、互いに直列接続する。従って、例えば、光源装置が少なくとも１個の発光ダイオードを含む場合、ダイオードの閾値電圧に、より迅速に到達して、ダイオードのスイッチをオンにする。
【００１５】
本発明の特定の技術的特徴によると、光源装置は、少なくとも１個の発光ダイオードを含む。
【００１６】
有利には、発光ダイオードを、該発光ダイオードを水から電気的に隔離できる保護樹脂でコーティングする。これは、発光ダイオードを水から保護し、電気的に隔離する。
【００１７】
有利には、発光ダイオードを、要素の内部空洞内で、指標の下に配設する。この特定の構成により、腕時計を海水に浸漬すると、指標を効率的に照明できる。
【００１８】
特定の技術的特徴によると、指標を、要素に配設した開口（ａｐｅｒｔｕｒｅ）で形成し、該開口は、光を取込める窓を備える。好適には、窓を、サファイアガラス製とする。
【００１９】
有利には、サファイアガラスの自由表面の少なくとも１面を、艶消しにする。これは、光源装置によって発した光を拡散させて、照明する指標の視野角（ａｎｇｌｅ  ｏｆ  ｖｉｅｗ）を増大させる。
【００２０】
本発明の特定の実施形態によると、電極対の電極を、電極対と海水がルクランシェ型電気化学セルを形成するように、選択する。この特定の例示的実施形態には、向上した電気化学セル用電力を得られるという利点がある。
【００２１】
本発明の別の特定の例示的実施形態によると、電極対の電極を、電極対と海水が金属空気型電気化学セルを形成するように、選択する。この例示的実施形態には、電気化学セルに対して高エネルギー密度を得られるという利点がある。
【００２２】
有利には、電極対の一方の陽極を、アルミニウム、亜鉛及びマグネシウムから成る群から選択した金属材料で形成する。かかる材料は、極めてエネルギー性が高い（ｅｎｅｒｇｅｔｉｃ）という利点がある。従って、セルが急速に乾燥し、その結果２回の連続する浸漬間で不活性になれば、陽極の腐食が、セルの流電（ｇａｌｖａｎｉｃ）性能に著しく影響を与える時間はない。
【００２３】
有利には、内部空洞の内壁を、水溶性塩の層でコーティングする。これは、腕時計が淡水環境でも使用可能になるという利点を提供する。実際に、この塩が、淡水と混合されて、淡水中に溶解し、電極対とで電気化学セルを形成する。
【００２４】
また、有利には、腕時計は、外部アクチュエータ、及び腕時計の文字板に対面して腕時計ケース内に配設した更なる光源を含み、外部アクチュエータ及び更なる光源を、電極対に接続する。その結果、外部アクチュエータの起動によって電極に接触することを通して、更なる光源を駆動でき、従って、指標だけでなく腕時計の文字板及び針も照明できる。
【００２５】
本発明による腕時計の目的、利点及び特徴は、図面で示した少なくとも１つの非限定的な実施形態に基づく以下の記載において、一層明白になるであろう。
【図面の簡単な説明】
【００２６】
【図１】本発明の好適な実施形態による腕時計の平面図であり、腕時計は、指標を備えた環状ベゼルを含む。
【図２】図１の腕時計の内部の概略図であり、腕時計は、発光ダイオード及び其々が電極対を含む直列の２セルを含む。
【図３】図２の腕時計の略図である。
【図４】第１変形例による図２の腕時計の、発光ダイオードがオフ状態の、断面ＩＶ−ＩＶに沿った断面図である。
【図５】発光ダイオードがオン状態の、図４と同様な図である。
【図６】第２変形例による図２の腕時計の断面ＶＩ−ＶＩに沿った断面図である。
【発明を実施するための形態】
【００２７】
図１は、腕時計ケース２を備えた腕時計１を表す。腕時計ケース２は、ケース中間部を含むが、このケース中間部は、明瞭化の理由で図面には表さない。ケース中間部は、要素４を有する。要素４は、少なくとも１つの指標６を備え、内部空洞８を画成し、かかる内部空洞は、図２及び図４〜図６で視認できる。図１〜図６に示した好適な実施形態では、要素４は、ケース中間部周りに回転するように取付けた環状回転ベゼルである。図１の説明に役立つ実施例では、腕時計１は、ダイバーズウォッチであり、回転ベゼル４は、１つの指標６のみを有する。指標６は、照明可能な指標であり、例えば、ダイバーが自分の水中での浸漬時間を測定するための基準位置になる。しかしながら、本発明は、環状回転ベゼルを有するダイバーズウォッチに限定されないが、より一般的に、少なくとも１つの指標を備え、内部空洞を画成する要素を有するケース中間部を含むあらゆる腕時計、又はかかる指標に関連する空洞を有するあらゆる計時器部品に適用される。
【００２８】
指標６を、例えば、要素４に配設した開口で形成する。該開口を、好適には、光を取込める閉塞要素又は窓によって閉塞する。好適には、窓を、サファイアガラス製とする。また、好適には、窓の自由表面の少なくとも１面、この場合サファイアガラス製である面を、艶消しにする。
【００２９】
図２及び図３で表したように、腕時計１は、少なくとも１つの電極対１０ａ、１０ｂ、及び該電極対１０ａ、１０ｂに接続した少なくとも１個の光源装置１２を更に含む。図２及び図３の説明に役立つ実施例では、腕時計１は、２つの電極対１０ａ、１０ｂ、及び単一の光源装置１２を含む。好適には、腕時計１は、各電極対の２電極１０ａ、１０ｂを分離するための機械要素１４を更に含む。この種の機械要素１４は、図４〜図６で視認できる。
【００３０】
また、好適には、一変形例では、腕時計１は、外部アクチュエータ及び更なる光源装置を含むことができる；かかる要素については、明瞭化の理由で図面には示していない。外部アクチュエータを、例えば、押しボタンで形成する。更なる光源装置を、例えば、腕時計の文字板と対面して腕時計ケース２内に配設する。外部アクチュエータ及び更なる光源装置を、電極対１０ａ、１０ｂに接続する。
【００３１】
要素４を、水が内部空洞８に浸入できるように腕時計ケース上に配設する、従って、要素４は、通水可能である。このために、内部空洞８は、例えば、図４〜図６で説明したように、少なくとも１つのオリフィスを通して外部に繋がり、要素４を、腕時計ケース２の中間部上に配設して、外部に対する開口部を画成し、該開口部を、内部空洞８と流体連通状態にする。要素４が環状回転ベゼルである図１の説明に役立つ実施例では、回転ベゼル４は、例えば、ケース中間部にクリップ留めされ、ケース中間部を被覆し、例えば、該ケース中間部と共に、内部空洞８と流体連通状態で、略円形の開口部を画成する。開口部を、この場合、ベゼル４の内縁部とケース中間部の外側リムとの間に配置する。
【００３２】
一変形例によると、内部空洞８を、ベゼルの壁に配設した、液体が容易に浸入できるオリフィス８ａによって、ベゼルの外部に接続する。好適には、内部空洞８を、液体を該空洞内に流入可能にする少なくとも２つのオリフィスによって、外部に接続する。  
【００３３】
電極１０ａ、１０ｂを、内部空洞８内で固定する。この様にして、また要素４が通水可能であるために、腕時計１を海水に浸漬すると、海水は、内部空洞８を貫通でき、その結果、電極１０ａ、１０ｂと接触できる。電極対１０ａ、１０ｂ（複数可）と海水は、従って、以下で更に詳述するように、光源装置１２を電気的に駆動するよう意図した電気化学セルを形成する。塩及びイオンが豊富なため、海水は、電極で酸化還元反応を起こす電解質として機能する。電極１０ａ、１０ｂを、電極１０ａ、１０ｂが互いに、又は回転ベゼル４の表面と決して接触しないように、内部空洞８内に機械的に保持する。
【００３４】
腕時計１が２つの電極対１０ａ、１０ｂを含む図２及び図３の説明に役立つ実施例では、各電極対は、陰極とも呼ばれる正極性の１つの電極１０ａ；及び陽極とも呼ばれる負極性の１つの電極１０ｂを含む。各電極対１０ａ、１０ｂは、電流生成セル１８を形成し、２つのセル１８を、図３の等価回路において、図２で説明したように、互いに直列接続する。より正確には、第１電極対の陽極１０ｂを、第２電極対の陰極１０ａに接続する。第１電極対の陰極１０ａと第２電極対の陽極１０ｂを、光源装置１２の各端子に接続する。図２から分かるように、電極１０ａ、１０ｂを、回転ベゼル４の形状に切断する。図示しない一変形例では、直列接続する電極対１０ａ、１０ｂの数を、３以上とするように選択できる。
【００３５】
図４及び図５で示した第１変形例では、各電極対の２つの電極１０ａ、１０ｂは、其々、平坦な形状を有し、内部空洞８内で互いに平行に対向して延在する。この変形例では、２電極１０ａ、１０ｂを分離するための機械要素１４を、例えば、織物膜で形成する。織物膜を、例えば、各電極対の２電極１０ａ、１０ｂ間に配設する。腕時計１を海水１５に浸漬させると、電極１０ａ、１０ｂ間の空間は、海水１５で満たされる。その結果、電極１０ａ、１０ｂと海水１５で形成した電気化学セルは、電極１０ａ、１０ｂと海水との間で生じた酸化還元反応によって活性化される。その結果、光源装置１２は、図４で表したオフ状態から、図５で表したオン状態に変わる。
【００３６】
図６で示した第２変形例によると、各電極対の２つの電極１０ａ、１０ｂは、其々、円筒形状を有する。各電極対の２電極１０ａ、１０ｂを、内部空洞８内で同心的に配設する。例えば、箔で形成する各電極対の陰極１０ａは、同じ電極対の陽極１０ｂを囲む。図示しない一変形例では、各電極対の陽極１０ｂが、同じ電極対の陰極１０ａを囲むことができる。この第２変形例では、２電極１０ａ、１０ｂを分離するための機械要素１４を、例えば、イオン透過膜で形成する。イオン透過膜を、例えば、各電極対の２電極１０ａ、１０ｂ間に配設することで、２電極１０ａ、１０ｂ間に空間を設ける。この第２変形例による腕時計１の動作は、第１変形例による腕時計１と同様であり、海水で、同心的な２電極１０ａ、１０ｂ間の空間を満たす。
【００３７】
好適には、内部空洞８の内壁を、水溶性塩の層でコーティングするが、この塩の層については、明瞭化の理由で図面には表さない。このコーティングによって、本発明による腕時計が、淡水環境でも使用可能になる。
【００３８】
光源装置１２を、指標６に対面して配設し、それにより指標６を照明する。好適には、図２及び図４〜図６で表したように、光源装置１２を、回転ベゼル４と一体化する。また、好適には、光源装置１２は、少なくとも１個の発光ダイオード１６を含む。図２〜図６の説明に役立つ実施例では、光源装置１２は、単一の発光ダイオード１６を含む。また、光源装置１２は、発光ダイオード１６に直列接続した抵抗体を含むこともできる。図面には表さないかかる抵抗体は、発光ダイオード１６を通り流れる電流を制限し、その結果、発光ダイオードを保護することを目的としている。これにより、発光ダイオード１６の回路における定電流を確保することが可能になる。
【００３９】
発光ダイオード１６を、好適には、発光ダイオード１６を水から電気的に隔離できる保護樹脂でコーティングする。かかる保護樹脂については、明瞭化の理由で図面には表さない。発光ダイオード１６を、例えば、指標６を照明するために、指標６の下で、要素４の内部空洞８内に配設する。発光ダイオードの閾値電圧を、例えば、２．６Ｖ〜３Ｖとする。
【００４０】
次に、幾つかの特定の例示的実施形態について、電極１０ａ、１０ｂに関して記述する。
【００４１】
第１の特定の例示的実施形態によると、電極対１０ａ、１０ｂの電極の片方は、亜鉛電極であり、電極対１０ａ、１０ｂのもう片方の電極は、銅電極である。この特定の例示的実施形態によると、海水を還元して、水素を発生させる。電極１０ａ、１０ｂと海水との間で発生させる酸化還元反応は、ベゼル４の空洞８を貫通した水量でイオン電流を生成し、光源装置１２を駆動するのに必要な電流に対応する電荷を輸送する。それにより、この第１の特定の例示的実施形態で形成したセルは、通常、約０．５Ｖの開路電圧を有する。
【００４２】
第２の特定の例示的実施形態によると、電極対の電極１０ａ、１０ｂを、電極対１０ａ、１０ｂと海水が、ルクランシェ型電気化学セルを形成するように選択する。この特定の例示的実施形態では、海水は、単に電解質として機能する。電極対の陰極１０ａは、例えば、箔上に堆積させた酸化マンガンを含む。それにより、この第２の特定の例示的実施形態で形成したセルは、通常、約１．５Ｖの開路電圧を有し；例えば、酸化マンガン１ｇ当り約１０ｍＡの電流を発生させる。
【００４３】
第３の特定の例示的実施形態によると、電極対の電極１０ａ、１０ｂを、電極対１０ａ、１０ｂと海水が、金属空気型電気化学セルを形成するように選択する。この特定の例示的実施形態によると、海水中に溶存する酸素を還元する。電極対の陽極１０ａを、例えば、金属材料で形成する。金属材料は、好適には、アルミニウムである。一変形例では、金属材料を、亜鉛又はマグネシウムとすることもできる。それにより、この第３の特定の例示的実施形態で形成したセルは、通常、約１．５Ｖの開路電圧を有する。この第３の特定の例示的実施形態では、使用する酸素を補給するために、海水の良好な対流を腕時計内に提供することが必要であり、これを、ベゼルの外部と接触する開口の数と形を最適化することによって、達成できる。
【００４４】
本発明による腕時計に関する以上の記載は、単一の指標を備え、単一の内部空洞を画成する要素を参照して；及び単一の光源装置を参照して行った。しかしながら、当業者は、本発明が、複数の指標、其々が一指標と関連する複数の内部空洞、電極対及び光源装置を含む腕時計に、同様な方法で適用されることを理解するであろう。
【００４５】
また、本発明による光源装置は、機械式ムーブメントを含む腕時計、及び電子式又はハイブリッド式ムーブメントを含む腕時計にも等しく適合できるように、エネルギー的に自立している点に、注意されたい。
【００４６】
最後に、有利には、ダイビング用指標をマークするのに好適な光源としてＬＥＤを使用することで、指標の色を選択可能になるが、これは、常にオレンジ、緑又は水色である燐光性材料とは異なり、ＬＥＤの色の範囲が、幅広い色彩範囲（ｃｏｌｏｒ  ｐａｌｅｔｔｅ）をカバーするためである。通常青い水でダイビングする人は、最大コントラストを得るために黄色のＬＥＤを選択すると有利であると気付くであろう。同様に、通常、緑色を帯びた水でダイビングする人は、赤色のＬＥＤを選択すると有利である。
【符号の説明】
【００４７】
１      腕時計
２      腕時計ケース
４      要素
６      指標
８      内部空洞
１０ａ、１０ｂ  電極対
１２    光源装置
１４    機械要素
１５    海水    
１６    発光ダイオード
１８    電流生成セル
【図１】
2019203887.tif 000003
【図２】
2019203887.tif 000004
【図３】
2019203887.tif 000005
【図４】
2019203887.tif 000006
【図５】
2019203887.tif 000007
【図６】
2019203887.tif 000008
【外国語明細書】
2019203887000001.pdf